(57)【特許請求の範囲】
【請求項１】
開口部を有し、開口部にパネルが収納されて外壁を構成するプレキャストコンクリート版であり、コンクリート中の開口部の上下位置に、のみ込み溝を有するガスケット、もしくはフレームが、のみ込み溝が開口部側を向いて埋設され、このガスケット、もしくはフレームと、パネルの少なくともいずれか一方の面と前記ガスケット、もしくはフレームとの間に差し込まれる押縁ガスケットとでパネルを保持する外壁用プレキャストコンクリート版。
【請求項２】
開口部を有し、開口部にパネルが収納されて外壁を構成するプレキャストコンクリート版を製作する方法であり、開口部の上下位置に、のみ込み溝を有するジッパーガスケットを、のみ込み溝を開口部側に向けて配置した状態でコンクリートを打設し、コンクリート中にジッパーガスケットを定着させる外壁用プレキャストコンクリート版の製作方法。
【請求項３】
開口部を有し、開口部の上下位置に収納溝が形成された形で成型され、開口部にパネルが収納されて外壁を構成するプレキャストコンクリート版を製作する方法であり、収納溝の位置にガスケットを配置すると共に、ガスケットに面し、収納溝となる空隙を形成した状態でコンクリートを打設し、コンクリート中にガスケットを定着させる外壁用プレキャストコンクリート版の製作方法。
【発明の詳細な説明】
【０００１】
【発明の属する技術分野】
この発明は開口部にガラス等のパネルが収納されることによりカーテンウォールその他の外壁を構成する外壁用プレキャストコンクリート版、及びその製作方法に関するものである。
【０００２】
【従来の技術及び発明が解決しようとする課題】
開口部を有し、開口部にガラス等のパネルが収納されてカーテンウォール等の外壁を構成するプレキャストコンクリート版はパネルを保持するための、四角形状に組まれたサッシ枠を開口部周辺のコンクリート中に埋設した状態で製作されるが、サッシ枠をコンクリート中に埋設させるにはサッシ枠の外周側に接続されるアンカーをコンクリート中に定着させる必要があるため、版の製作には手間と高い精度を必要とし、製作効率が悪い。
【０００３】
サッシ枠に代え、ジッパーガスケットを用いることでサッシ枠を用いる場合の作業の手間を解消する方法もあるが、プレキャストコンクリート版の成型とジッパーガスケットの差し込みは独立した作業になっていることから、ジッパーガスケットはプレキャストコンクリート版の成型後に後付けされることになるため、開口部へのパネルの収納まで時間を要し、製作効率の大幅な向上は図れない。
【０００４】
この発明は上記背景より、パネル付きプレキャストコンクリート版の製作の手間を解消し、また製作効率の向上を図るプレキャストコンクリート版とその製作方法を提案するものである。
【０００５】
【課題を解決するための手段】
請求項１ではのみ込み溝を有するガスケット、もしくはフレームと、開口部に収納されるパネルの少なくともいずれか一方の面と前記ガスケット、もしくはフレームとの間に差し込まれる押縁ガスケットとでパネルを保持することにより、サッシ枠を用いる場合よりパネル付きのプレキャストコンクリート版の製作の手間を解消し、製作効率を高める。
【０００６】
ガスケットやフレームはコンクリート中の開口部の上下位置に、のみ込み溝が開口部側を向いた状態で埋設される。
ガスケットやフレームをプレキャストコンクリート版に対して後付けする場合、プレキャストコンクリート版は開口部の上下位置に収納溝が形成された形で成型され、ガスケットやフレームは収納溝内に嵌合した状態で埋設される。押縁ガスケットはガスケットやフレームののみ込み溝にパネルをのみ込ませた後に、パネルとガスケットやフレームとの間に差し込まれる。
【０００７】
ガスケットやフレームはこのようにプレキャストコンクリート版の成型後に収納溝内に差し込まれて埋設される他、ガスケットやフレームを、のみ込み溝を開口部側へ向けて配置した状態でコンクリートを打設し、コンクリート中にガスケットやフレームを定着させることによりプレキャストコンクリート版の成型と同時に収納溝位置に埋設される。
【０００８】
後者の場合、プレキャストコンクリート版の成型とガスケットやフレームの埋設が同時に行われるため、作業工程数が削減され、プレキャストコンクリート版の開口部へのパネル収納までの時間が短縮され、パネル付きプレキャストコンクリート版の製作効率が向上する。
【０００９】
パネルをジッパーガスケットによって保持する場合にも、請求項２に記載のように開口部の上下位置に、のみ込み溝を有するジッパーガスケットを、のみ込み溝を開口部側へ向けて配置した状態でコンクリートを打設し、コンクリート中にジッパーガスケットを定着させる方法でプレキャストコンクリート版を製作すれば、プレキャストコンクリート版の成型とジッパーガスケットの埋設が同時に行われるため、パネル付きのプレキャストコンクリート版の製作時間が短縮され、製作効率が向上する。
【００１１】
開口部の上下位置に収納溝が形成された形で成型されたプレキャストコンクリート版の収納溝に埋設されるガスケットと、パネルのいずれか一方の面と収納溝との間に差し込まれる押縁ガスケット、もしくは充填されるシール材とによってパネルを保持することにより、パネル付きのプレキャストコンクリート版の製作の手間を解消し、製作効率を高める場合も、請求項３に記載のように収納溝の位置にガスケットを配置すると共に、ガスケットに面し、収納溝となる空隙を形成した状態でコンクリートを打設し、コンクリート中にガスケットを定着させる方法でプレキャストコンクリート版を製作すれば、プレキャストコンクリート版の成型とガスケットの埋設が同時に行われるため、パネル付きのプレキャストコンクリート版の製作効率が向上する。
【００１２】
【発明の実施の形態】
請求項１のプレキャストコンクリート版１は図１〜図４に示すように開口部を有し、開口部にパネル３が収納されて外壁を構成するプレキャストコンクリート版において、図５〜図10に示すようにコンクリート1a中の開口部の上下位置に埋設され、のみ込み溝4a、5aを有する断面形状をするガスケット４、もしくはフレーム５と、押縁ガスケット６とで開口部に収納されるパネル３を保持するものである。
【００１３】
プレキャストコンクリート版１は図２，図４に示すように建物の柱や梁、スラブ、あるいはトラス架構その他の構造体７に、コンクリート1a部分の背面側に突設されるボルト８を構造体７から室外側へ張り出したブラケットやファスナー９等に接合することにより支持される。図２は図１の縦断面を、図４は図３の縦断面を示す。
【００１４】
図３，図４に示すように開口部が単窓となる場合、プレキャストコンクリート版１は１層分の高さを持って製作され、上階の構造体７と下階の構造体７に支持される。図１，図２に示すように開口部が横連窓を形成する場合もプレキャストコンクリート版１を１層分の高さを持って製作する場合もあるが、図面ではパネル３を挟んで上下に分離するコンクリート1a，1aをそれぞれ下階の垂れ壁と直上階の腰壁を一体化させた大きさにし、各コンクリート1aを上階の構造体７と下階の構造体７に支持させている。
【００１５】
単窓の場合、外壁としてのプレキャストコンクリート版１は開口部を包囲する形のコンクリート1aと開口部に収納されるパネル３から構成され、横連窓の場合、コンクリート1a，1aはパネル３の上下に分離するが、外壁としてのプレキャストコンクリート版１は上下のコンクリート1a，1aとその両者に支持されるパネル３から構成される。
【００１６】
ガスケット４やフレーム５が付いたプレキャストコンクリート版１は、開口部の上下位置に収納溝２が形成された形でプレキャストコンクリート版１を成型した後に、収納溝２内にガスケット４やフレーム５を差し込んで製作される場合と、ガスケット４やフレーム５をコンクリート1a中に埋設するようにコンクリート1aを打設して製作される場合があり、製作方法によって収納溝２の断面形状と、それに対応するガスケット４やフレーム５の断面形状が任意に選択される。
【００１７】
前者の場合、ガスケット４やフレーム５は摩擦力や接着剤、もしくはモルタル等の充填材等によって収納溝２内での埋設状態を維持し、後者の場合はコンクリート1aへの定着によって埋設状態を維持する。
【００１８】
ガスケット４やフレーム５を後付けする場合、差し込み作業を容易にする上では収納溝２は深さ方向に一定幅の形、もしくは図５に示すように幅が開口部側から奥へ向けて小さくなる形がよいが、差し込み時の抵抗が問題にならない場合や、差し込み後の抜け止め効果を上げる場合には、幅が開口部側から奥へ向けて大きくなる形に収納溝２を形成することもある。
【００１９】
コンクリート1aの打設時にガスケット４やフレーム５を埋設する場合は、プレキャストコンクリート版１の成型後の抜け出しを防止する上で、深さ方向に一定幅の形、もしくは図８に示すように幅が開口部側から奥へ向けて大きくなる形に収納溝２が形成されるが、ガスケット４やフレーム５のコンクリート1a側に形成されるアンカー4b、5bにより、あるいはコンクリート1aとの付着により抜け止めが施される場合には幅が開口部側から奥へ向けて小さくなる形に収納溝２を形成することもある。
【００２０】
図５，図６は収納溝２にガスケット４を後付けにより埋設した場合の例を示す。ガスケット４を後付けする場合、ガスケット４のコンクリート1a側の面には抜け止めのための多数のヒレが形成され、上側のガスケット４のコンクリート1aとの突合せ面には落下防止のためのブチルシール等のシール材10が充填される。下側のガスケット４のコンクリート1aとの突合せ面にはガスケット４の室外側の端部とコンクリート1aとの間からの雨水の浸入を阻止するために、または浸入した場合の雨水の回り込みを防止するために同様のシール材10が充填される。
【００２１】
図５，図６ではまた、下側のガスケット４の室内側にパネル３の室内側表面に発生する結露水を受けるための受け片4cを形成している。上側のガスケット４には受け片4cを形成する必要はないが、部品の統一のために同一のガスケット４を反転させて使用している。結露水を受ける受け片6cは図７に示すようにパネル３の室内側に差し込まれる押縁ガスケット６に形成する場合もある。
【００２２】
パネル３は下側のガスケット４ののみ込み溝4a内に設置されるセッティングブロック11上に設置され、パネル３の室内側と室外側の少なくともいずれか一方の面とガスケット４との間に差し込まれる押縁ガスケット６とガスケット４とによって保持される。押縁ガスケット６とガスケット４とは双方の凹部と凸部が互いに噛み合う形をし、押縁ガスケット６はガスケット４との噛み合いにより抜け止めされる。
【００２３】
図５，図６では押縁ガスケット６をパネル３の室内側にのみ差し込んでいるが、パネル３の室外側にのみ、あるいは図７に示すような形に室内側と室外側の双方に差し込む場合もある。
【００２４】
図５，図６ではまた、上側の押縁ガスケット６をパネル３の上端が上向きに係止し得る形にすることにより上側の押縁ガスケット６に、パネル３の浮き上がりを防止する役目を持たせている。
【００２５】
図７はフレーム５を収納溝２の位置にコンクリート1aの打設時に埋設し、先付けした場合の例を示す。フレーム５のコンクリート1a側の面と収納溝２との間に充填されるモルタルや接着剤等により収納溝２に埋設した状態を維持できれば、収納溝２を形成して成型したコンクリート1aに対してフレーム５を後付けする場合もある。
【００２６】
図７では幅が開口部側から奥へ向けて小さくなる形に収納溝２を形成していることから、フレーム５のコンクリート1a側の面にアンカー5bを形成することによりフレーム５をコンクリート1a中に定着させている。
【００２７】
フレーム５にはアルミニウムの押出し形材、あるいはステンレススチールや硬質プラスチックの成型品等、押縁ガスケット６と共にパネル３を保持する枠として必要な剛性と強度を有する材料が使用される。
【００２８】
フレーム５を収納溝２に埋設する場合、フレーム５とパネル３との間の摩擦力はガスケット４とパネル３との間程大きくなく、フレーム５自身の変形能力も小さいため、押縁ガスケット６，６はパネル３の両面に差し込まれる。フレーム５を先付けする場合、両押縁ガスケット６，６の内、いずれか一方をフレーム５のコンクリート1a中への埋設時にフレーム５に予め付けておくこともできる。
【００２９】
図７の場合もフレーム５ののみ込み溝5aと押縁ガスケット６の対向する面には互いに噛み合う凹部と凸部が形成され、押縁ガスケット６はフレーム５との噛み合いにより抜け止めされる。
【００３０】
パネル３の室外側に差し込まれる押縁ガスケット６はフレーム５ののみ込み溝5a内への雨水の浸入を防止するためにフレーム５の屋外への露出部分を覆う形をし、また雨水がフレーム５とコンクリート1aとの間に浸入することを防止するために、フレーム５の開口部側とコンクリート1aとの間には必要によりシール材12が充填される。
【００３１】
図８〜図10は開口部の上下位置、すなわち図５〜図７の収納溝２に相当する位置にガスケット４を配置した状態でコンクリート1aを打設し、ガスケット４をコンクリート1a中に先付けした場合の例を示す。
【００３２】
図８，図９では幅が開口部側から奥へ向けて大きくなる形に収納溝２とガスケット４を形成していることから、ガスケット４自身がアンカーとなるため、ガスケット４のコンクリート1a側の面にアンカー4bを形成することは不要になっている。図８はパネル３として１枚のガラスを収納した場合、図９は複層ガラスを収納した場合を示す。
【００３３】
図10は図８，図９に示すガスケット４にセッティングブロック11が一体化した形にガスケット４を形成すると共に、コンクリート1a側にアンカー4bを形成した場合である。
【００３４】
請求項２のプレキャストコンクリート版１は図11〜図15に示すようにコンクリート1a中の開口部の上下位置に埋設され、のみ込み溝13ａを有するジッパーガスケット13によってパネル３を保持するものである。
【００３５】
ジッパーガスケット13はのみ込み溝13ａが開口部側を向いた状態で埋設され、のみ込み溝13ａ内にパネル３をのみ込み、開口部側に面した部分に打ち込まれるジッパー14によってパネル３を保持する。
【００３６】
図11〜図15の場合、プレキャストコンクリート版１は開口部の上下位置にジッパーガスケット13を、のみ込み溝13ａを開口部側へ向けて配置した状態でコンクリート1aを打設し、コンクリート1a中にジッパーガスケット13を定着させることにより製作されるが、図５，図６の場合のようにジッパーガスケット13のコンクリート1a側の面に多数のヒレを形成することにより、または接着剤としてのシール材10等を併用することにより収納溝２を形成した形でコンクリート1aを成型した後、収納溝２にジッパーガスケット13を差し込んで埋設することもできる。
【００３７】
図示する場合、ジッパーガスケット13はコンクリート1aの打設時にコンクリート1a中に埋設されることから、図11，図12に示すようにコンクリート1a側にアンカー13ｂを有する形状、もしくは見込み幅が開口部側から奥へ向けて大きくなる形状に形成される。
【００３８】
図11はパネル３として１枚のガラスを収納した場合、図12は複層ガラスを収納した場合を、図13，図14は図11の変形例を示す。図14は図13の場合に、コンクリート1aの開口部側の端部とジッパーガスケット13との間にシール材12を充填した場合である。図11〜図14ではパネル３の室内側に位置するジッパー14に結露水を受ける受け片14ｃを形成している。
【００３９】
図15はパネル３の室外側の面をコンクリート1aの室外側の面に接近させ、外観上、パネル３とコンクリート1a間に段差がないように見せる場合の、ジッパーガスケット13とコンクリート1aとの取合い例を示す。
【００４０】
ここではコンクリート1aの室外側の面に仕上げ材としてのタイル15を接着させているが、ジッパーガスケット13の本体の室外側の端部をタイル15の表面に一致させることによりパネル３とコンクリート1a間の段差を極力小さくしている。ジッパーガスケット13とタイル15間にはシール材12が充填される。シール材12は、パネル３の室内側における結露水の、コンクリート1aとジッパーガスケット13間への浸入を防止するためにも充填されている。
【００４１】
図15ではまた、ジッパー14にジッパーガスケット13より室外側へ張り出す水切り14ｄを形成することで、上側のコンクリート1aに接着されたタイル15から落下する雨水がパネル３の表面に伝うことを防止し、下側のジッパー14から落下する雨水がコンクリート1aとタイル15との接着面に伝うことを防止している。
【００４２】
請求項３のプレキャストコンクリート版１は図16に示すように開口部の上下位置に収納溝２が形成された形で成型され、収納溝２の幅方向の片側に埋設されるガスケット16と、パネル３のいずれか一方の面と収納溝２との間に差し込まれる押縁ガスケット17、もしくは充填されるシール材18とでパネル３を保持するものである。
【００４３】
図16に示すプレキャストコンクリート版１は収納溝２の位置にガスケット16を配置すると共に、ガスケット16に面し、収納溝２となる空隙を形成した状態でコンクリート1aを打設し、コンクリート1a中にガスケット16を定着させることにより製作されるが、請求項３と同じく収納溝２を形成した形でコンクリート1aを成型した後、収納溝２にガスケット16を差し込むこともできる。
【００４４】
図16ではガスケット16にアンカー16ｂを形成しているが、ガスケット16自体をアンカーの形状に形成する場合もある。シール材18はセッティングブロック11上にパネル３を設置した後、バックアップ材19を置いて充填される。シール材18に代わって押縁ガスケット17を差し込む場合は、セッティングブロック11上に直接押縁ガスケット17が差し込まれる。
【００４５】
図16ではパネル３の室内側の面と収納溝２の内周面との間にシール材18を充填すると共に、室外側の面とガスケット16との間に押縁ガスケット17を差し込み、ガスケット16と押縁ガスケット17、及びシール材18によってパネル３を保持しているが、パネル３の室外側の押縁ガスケット17は必ずしも必要ではない。
【００４６】
【発明の効果】
請求項１ではのみ込み溝を有するガスケット、もしくはフレームと、パネルの少なくともいずれか一方の面とガスケット、もしくはフレームとの間に差し込まれる押縁ガスケットとでパネルを保持するため、サッシ枠を用いる場合よりパネル付きのプレキャストコンクリート版の製作の手間が解消され、製作効率が高まる。
【００４７】
請求項２ではジッパーガスケットを、請求項３ではパネルの片面に位置するガスケットをそれぞれコンクリート中に定着させることで、これらをプレキャストコンクリート版の成型と同時に開口部の上下位置に埋設するため、プレキャストコンクリート版の開口部へのパネル収納までの作業工程数が削減され、パネル付きプレキャストコンクリート版の製作効率が大幅に向上する。
【図面の簡単な説明】
【図１】パネルを収納したプレキャストコンクリート版を示した斜視図である。
【図２】図１の縦断面図である。
【図３】パネルを収納した他のプレキャストコンクリート版を示した斜視図である。
【図４】図３の縦断面図である。
【図５】請求項１のプレキャストコンクリート版の製作例を示した縦断面図である。
【図６】図５の変形例を示した縦断面図である。
【図７】請求項１の他のプレキャストコンクリート版の製作例を示した縦断面図である。
【図８】請求項１の他のプレキャストコンクリート版の製作例を示した縦断面図である。
【図９】図８の変形例を示した縦断面図である。
【図１０】請求項１の他のプレキャストコンクリート版の製作例を示した縦断面図である。
【図１１】請求項２のプレキャストコンクリート版の製作例を示した縦断面図である。
【図１２】図11の変形例を示した縦断面図である。
【図１３】図11の変形例を示した縦断面図である。
【図１４】図13の変形例を示した縦断面図である。
【図１５】請求項２の他のプレキャストコンクリート版の製作例を示した縦断面図である。
【図１６】請求項３のプレキャストコンクリート版の製作例を示した縦断面図である。
【符号の説明】
１……プレキャストコンクリート版、1a……コンクリート、２……収納溝、３……パネル、４……ガスケット、4a……のみ込み溝、4b……アンカー、4c……受け片、５……フレーム、5a……のみ込み溝、5b……アンカー、６……押縁ガスケット、6c……受け片、７……構造体、８……ボルト、９……ファスナー、10……シール材、11……セッティングブロック、12……シール材、13……ジッパーガスケット、13ａ……のみ込み溝、13ｂ……アンカー、14……ジッパー、14ｃ……受け片、14ｄ……水切り、15……タイル、16……ガスケット、16ｂ……アンカー、17……押縁ガスケット、18……シール材、19……バックアップ材。
【図１】
0003961135.tif 000002
【図２】
0003961135.tif 000003
【図３】
0003961135.tif 000004
【図４】
0003961135.tif 000005
【図５】
0003961135.tif 000006
【図６】
0003961135.tif 000007
【図７】
0003961135.tif 000008
【図８】
0003961135.tif 000009
【図９】
0003961135.tif 000010
【図１０】
0003961135.tif 000011
【図１１】
0003961135.tif 000012
【図１２】
0003961135.tif 000013
【図１３】
0003961135.tif 000014
【図１４】
0003961135.tif 000015
【図１５】
0003961135.tif 000016
【図１６】
0003961135.tif 000017